(57)【要約】【課題】同時に複数枚の紙類を容易に挿入することができ、紙類は確実に保持され、また上部から1枚ずつ確実に抜き取ることができ、かつ引き抜かれた紙には線状の綺麗な引き裂き跡が残り、塵が発生しにくいペーパーホルダーを提供する。【解決手段】底面部11を含む台部12と、上覆部15とが着脱可能に係合し、一体化されて紙類の挿入口19が形成されるケース10と、ケース10の内部に、挿入された紙類を保持するための、紙類の挿入方向側に向けて傾斜して延びる傾斜部23を有する板バネからなる弾性片20とを備える。傾斜部23の幅方向のほぼ中央部には、傾斜部23の端部から刃30の先端部32が突出するように刃30が設けられる。刃30は、傾斜部23の面に対して刃の垂直な起立状態を保持する保持片40に固定され、かつ該保持片40が傾斜部30に装着される。【選択図】図１
2010149360.tif 000002
【特許請求の範囲】
【請求項１】
底面部を含む台部と、底面部と対向する側に位置する上覆部とが着脱可能に係合し、一体化されて紙類の挿入口が形成されるケースと、
該ケースの内部に、挿入された紙類を保持するための、弾性変形可能な弾性片とを有してなり、
前記弾性片は、前記挿入口側の上部に位置する支点から紙類の挿入方向側に向けて傾斜して延びる傾斜部を有する板バネからなり、前記ケースの上覆部に着脱可能に取着され、
前記傾斜部の幅方向のほぼ中央部には、前記傾斜部の、前記底面部側の端部から刃の先端部が突出するように刃が設けられ、
該刃は、前記傾斜部の面に対して刃の垂直な起立状態を保持する保持片に固定され、かつ該保持片が前記傾斜部に装着されることにより設けられており、
前記底面部の、前記刃の先端部よりも少なくとも挿入口側の内面に、挿入された紙類の脱落を防止するための摩擦部を備え、
前記弾性片の弾性変形に基く弾性力を用いて、前記刃の先端部を、挿入された紙類に当接させて紙類を保持するように構成した、ペーパーホルダー。
【請求項２】
前記保持片は、前記傾斜部に固定される平面部を備えたベース部と、該ベース部から垂直に起立し、前記刃の腹部の両サイドで該腹部を保持する起立部とを有する、請求項１に記載のペーパーホルダー。
【請求項３】
前記保持片は、前記刃の腹部を両サイドから挟む一対の部材からなる、請求項２に記載のペーパーホルダー。
【請求項４】
前記保持片の前記起立部の、前記ベース部の反対側には、前記刃の面方向の動きを規制する位置決め手段が設けられている、請求項２又は３に記載のペーパーホルダー。
【請求項５】
前記保持片は、前記傾斜部の、挿入方向側の内面に設けられ、かつ、
前記刃は、交差して鋭角状の刃の先端部を形成する背部と刃先、と、刃元の近傍から前記背部に向けて傾斜して伸びる傾斜辺部とを有する、請求項１〜４のいずれかに記載のペーパーホルダー。
【請求項６】
前記傾斜部の、前記底面部側の端部は、紙類の挿入方向側に向けて折り曲げられ、かつその幅方向の中央部には刃を所定位置に設けるためのスリットが形成されている、請求項１〜５のいずれかに記載のペーパーホルダー。
【請求項７】
前記ベース部の平面部は、補強板を介して前記傾斜部に固着されている、請求項２〜６のいずれかに記載のペーパーホルダー。
【発明の詳細な説明】
【技術分野】
【０００１】
本発明は、同時に複数枚の紙類を容易に挿入することができ、かつ下部の紙類が脱落することなく、上部から1枚ずつ確実に抜き取ることができ、また、引き抜かれた紙には線状の引き裂き跡が残るペーパーホルダーに関する。
【背景技術】
【０００２】
従来、紙類を挟んで固定するために使用するペーパーホルダーとしては各種のものがあるが、その基本構造として、ケースの一方の側に紙類を挿入するための挿入口を有するとともに、ケースの内部に紙類を保持するための保持部材を備えたものが知られている。
特許文献１には、「挿入溝内に配置され、挿入溝に挿入された書類の移動に伴って正転または逆転する転動体と、前記転動体の表面に形成され、転動体の回転に応じて前記挿入溝に進退する針状体」を備え、「前記針状体は転動体の逆転時に挿入溝に進出して前記書類を刺し止めることを特徴とする書類保持具」が記載されている。そして、「転動体は付勢手段により逆転方向に付勢されている」構成が記載されている。
特許文献２には、本発明者の発明に係るカードホルダーが開示されている。該文献には、「厚み部を有する基片の一端部に外覆片を係合して一側部にカード挿入口を設け、これら基片と外覆片のなす空間部内に弾力性のあるカード挟着片を、その一端部が前記基片に当接するよう外覆片に取付けてなることを特徴とする」構成や、「カード挟着片は板状スプリングからなり、一端部を外覆片の取付部となし、取付部の端部から傾斜をつけて折曲してカード挟着部を設けた山形状に形成してなることを特徴とする」構成が開示されている。
【０００３】
【特許文献１】特許第３０８５２０１号公報
【特許文献２】特開２００２−１２０４８２号公報
【発明の開示】
【発明が解決しようとする課題】
【０００４】
特許文献１に記載の書類保持具は、書類の移動と共に回転する転動体に形成された針状体で書類を刺し止める（〔００１２〕）もので、不要になった紙は、引き抜くことによって、針が刺し通された部分が破れて、引き取ることができる（〔００２５〕）ものであり、生産工場のラインにおける生産指示書の保持具等として使用し得る。
しかし、転動体（シャフト２０，３０）と、その他に、これを回転自在に支持するガイド部材２２，３２を、断面略Ｒ字形状の書類ホルダ１２の内部に設ける必要があり、さらに、転動体に形成された針状体で書類を刺し止めるためには、事実上、転動体にスプリング等の付勢手段を設ける必要があり、構成が複雑となる。このため、その製作が決して容易ではなく、製作コストも高くなる。また、転動体の回転という機械的動作を必須としており、その円滑な動作を維持するため相当のメンテナンスが必要であり、分解、修理や部品の交換等も容易に行えない。そして、引き抜いた紙は、針状体によって破れるため、ギザギザの引き裂き跡となり、引き裂き部において紙材から離脱する塵、ゴミが発生し、これが飛散したりする。
特許文献２に記載のカードホルダーは、板状スプリングからなるカード挟着片によって直接に紙類を保持するものであり、針のような先端が尖った部材で紙類を保持するものではなく、紙類の保持が確実ではない。
なお、クリップ（ダブルクリップなど）や洗濯挟みのように紙類を挟むタイプのもので針などを設けたものがあるが、紙類を保持するために摘み部を摘む開閉動作を行う必要があり、紙類の挿入及び引き抜きが容易なものではない。
本発明は上記事情に鑑み開発されたもので、同時に複数枚の紙類を容易に挿入することができ、挿入された紙類は確実に保持され、また保持された紙類を下部の紙類が脱落することなく、上部から１枚ずつ確実に抜き取ることができ、かつ引き抜かれた紙には直線状の綺麗な引き裂き跡が残り、塵が発生しにくい、ペーパーホルダーを提供することを目的とする。しかも、比較的簡単な構成で製作しやすく、製作コストも低廉であり、メンテナンス、分解、修理、部品の交換も容易であるペーパーホルダーを提供することを目的とする。
【課題を解決するための手段】
【０００５】
（１）底面部を含む台部と、底面部と対向する側に位置する上覆部とが着脱可能に係合し、一体化されて紙類の挿入口が形成されるケースと、
該ケースの内部に、挿入された紙類を保持するための、弾性変形可能な弾性片とを有してなり、
前記弾性片は、前記挿入口側の上部に位置する支点から紙類の挿入方向側に向けて傾斜して延びる傾斜部を有する板バネからなり、前記ケースの上覆部に着脱可能に取着され、
前記傾斜部の幅方向のほぼ中央部には、前記傾斜部の、前記底面部側の端部から刃の先端部が突出するように刃が設けられ、
該刃は、前記傾斜部の面に対して刃の垂直な起立状態を保持する保持片に固定され、かつ該保持片が前記傾斜部に装着されることにより設けられており、
前記底面部の、前記刃の先端部よりも少なくとも挿入口側の内面に、挿入された紙類の脱落を防止するための摩擦部を備え、
前記弾性片の弾性変形に基く弾性力を用いて、前記刃の先端部を、挿入された紙類に当接させて紙類を保持するように構成した、ペーパーホルダーである。
（２）前記保持片は、前記傾斜部に固定される平面部を備えたベース部と、該ベース部から垂直に起立し、前記刃の腹部（平）の両サイドで該腹部を保持する起立部とを有するものである。
（３）前記保持片は、前記刃の腹部を両サイドから挟む一対の部材からなるものである。
（４）前記保持片の前記起立部の、前記ベース部の反対側には、前記刃の面方向の動きを規制する位置決め手段が設けられているものである。
（５）前記保持片は、前記傾斜部の、挿入方向側の内面に設けられ、かつ、
前記刃は、交差して鋭角状の刃の先端部を形成する背部と刃先、と、刃元の近傍から前記背部に向けて傾斜して伸びる傾斜辺部とを有するものである。
（６）前記傾斜部の、前記底面部側の端部は、紙類の挿入方向側に向けて折り曲げられ、かつその幅方向の中央部には刃を所定位置に設けるためのスリットが形成されているものである。
（７）前記ベース部の平面部は、補強板を介して前記傾斜部に固着されているものである。
【発明の効果】
【０００６】
（１）ケースは、底面部を含む台部と、底面部と対向する側に位置する上覆部とが着脱可能に係合し、一体化されて紙類の挿入口が形成されるものであり、ケースの内部に、挿入された紙類を保持するための、弾性変形可能な弾性片とを有してなり、比較的簡易な構成のため、量産に適し生産コストも節約でき、製作及び分解が容易である。
弾性片は、挿入口側の上部に位置する支点から紙類の挿入方向側に向けて傾斜して延びる傾斜部を有する板バネからなり、ケースの上覆部に着脱可能に取着され、弾性片の加工は容易で製作コストも安価である。弾性片の交換も可能である。
傾斜部の幅方向のほぼ中央部には、傾斜部の、底面部側の端部から刃の先端部が突出するように刃が設けられ、該刃は、傾斜部の面に対して刃の垂直な起立状態を保持する保持片に固定され、かつ該保持片が傾斜部に装着されることにより設けられているため、刃は所定の位置、向きに保持片によって確実に保持されるとともに、保持片を用いた傾斜部に対する取付け、組立てが簡単である。
底面部の、刃の先端部よりも少なくとも挿入口側の内面に、挿入された紙類の脱落を防止するための摩擦部を備え、弾性片の弾性変形に基く弾性力を用いて、刃の先端部を、挿入された紙類に当接させて紙類を保持するため、紙類の挿入を容易に行うことができ、紙類は確実に保持され、保持された紙を上から１枚ずつ確実に引き抜くことができ、かつ引き抜かれた紙には線状の綺麗な引き裂き跡が残り、塵が発生しにくい。塵が発生しにくいため、工場のクリーンルームなど塵埃を嫌う場所での使用に好適である。
メンテナンス、分解、修理、部品の交換も容易である。
（２）保持片は、傾斜部に固定される平面部を備えたベース部と、該ベース部から垂直に起立し、刃の腹部（平）の両サイドで腹部を保持する起立部とを有するため、保持片の構成も簡易であり、製作コストも低廉である。
（３）保持片は、刃の腹部を両サイドから挟む一対の部材からなるため、刃の保持片への取付け作業が容易である。
（４）保持片の起立部の、ベース部の反対側には、刃の面方向の動きを規制する位置決め手段が設けられているため、刃を保持片に迅速、確実に所定位置に設けることができる。
（５）保持片は、傾斜部の、挿入方向側の内面に設けられ、かつ、刃は、交差して鋭角状の刃の先端部を形成する背部と刃先、と、刃元の近傍から背部に向けて傾斜して伸びる傾斜辺部とを有する形状であるため、ケースの狭い内部空間に刃が合理的に配置され、傾斜部の動きに伴い刃の動きが支障を来たすことがなく、刃及び弾性片が確実に動作する。
（６）傾斜部の、底面部側の端部は、紙類の挿入方向側に向けて折り曲げられ、かつその幅方向の中央部には刃を所定位置に設けるためのスリットが形成されているため、折り曲げた底面部側の端部が保持片を所定位置に装着するための、縦方向の位置決め部となり、また、スリットに刃が位置されるので、該スリットが刃の横方向の位置決め部として作用する。
（７）保持片のベース部の平面部が補強板を介して傾斜部に固着されているため、保持片の装着された傾斜部の剛性を高め、傾斜部の安定した動作を助ける。
【発明を実施するための最良の形態】
【０００７】
本発明の実施例を挙げ、図面を参照して説明するが、本発明は以下の形態に限定されるものではない。
図１はペーパーホルダー１の実施例の側面図、図２は板バネからなる弾性片４０を示す斜視図、図３は刃３０の側面図、図４は保持片４０の斜視図である。
【実施例】
【０００８】
＜ケース＞
ペーパーホルダー１は、ケース１０と、ケース１０に内装される弾性片４０とを備えてなる。
ケース１０は、底面部１１を含む台部１２と、底面部１１と対向する側に位置する上覆部１５という、二種の異なる断面を有する成形品の組合せからなり、両者は着脱可能に係合し、一体化されて手前側に紙類の挿入口１９が形成されている。台部１２、上覆部１５は、硬質の合成樹脂材等からなり、それぞれ長尺物として成形されたものを適宜長さに切断して形成されている。ケース１０の大きさは、限定されないが、一例として、その高さは１．５ｃｍ程度、奥行きは３〜４ｃｍ程度、幅は２．５ｃｍ〜６ｃｍ程度のものが挙げられる。
ケース１０の台部１２には、その後端からほぼ直角に起立した後壁部１３が形成され、該後壁部１３に上覆部１５が係止されている。後壁部１３の内面には、上端鉤状部１３ａからやや距離をおいて上下二段に突出した突出片１３ｂ，１３ｃが形成されており、その先端の係止部１３ｄ，１３ｅに、上覆部１５の後端部に上下二段に形成された係止部１５ａ，１５ｂがそれぞれ係止されて、一体化されている。
上覆部１５は断面略Ｊ字状に形成してあり、底面部１１と対向する断面直線状の取付部１５ｃと、この取付部１５ｃの前端部から断面弧状ないし角状に形成された前端正面部１５ｄを備えている。前端正面部１５ｄの下端と底面部１１との間に紙類の挿入口１９が形成されている。取付部１５ｃの内面には前端正面部１５ｄ寄りに、後述する弾性片２０の反転折り返し部２５が係止される溝部１６が水平方向に形成されている。
底面部１１の、後述する刃３０の先端部よりも少なくとも挿入口１９側の内面には、挿入された紙類７０の脱落を防止するための摩擦部１４が設けられている。摩擦部１４は、挿入された紙類の底面部１１に対する摩擦力を増大させて紙類の脱落を防止するもので、図示の例では、ゴム等のシート部材を貼り付けることにより構成されている。
上記のように、ケース１０は、硬質の合成樹脂材からなり、底面部１１と、該底面部１１の後端から起立する後壁部１３とが一体成形された台部１２と、後壁部１３に形成された係止部に着脱可能に係止されて台部１２と一体化される上覆部１５とで構成されており、台部１２と上覆部１５とを横方向にスライドさせれば分解可能である。
【０００９】
＜弾性片＞
弾性片２０は、挿入された紙類を保持するための、弾性変形可能な弾性体からなる。
弾性片２０は、挿入口側１０の上部に位置する支点Ａから紙類の挿入方向側に向けて傾斜して延びる傾斜部２３を有する板バネからなる。
図１、図２に示す弾性片２０は、折り曲げ加工された板バネからなり、平板状の上面部２１と、挿入口１９側の上部に位置する支点Ａから紙類の挿入方向側に向けて傾斜して延びる傾斜部２３を備え、上面部２１と傾斜部２３とが反転折り返し部２５を介して連続している。弾性片２０は、通常、厚さ０．０５〜０．２ｍｍ程度のＳＫ材、ステンレス鋼材等の金属板で形成されている。弾性片２０の幅は、一例として２ｃｍ程度である。傾斜部２３の上面部２１との傾斜角αは、紙類を挿入していない状態で通常４５〜７０°程度である（後述する刃３０の背部の傾斜角も同様となる。）。
反転折り返し部２５が、上覆部１５の挿入口１９側の内面に形成した溝部１６に挿入されて、係止されることにより、上覆部１５に着脱可能に取着されている。
傾斜部２３の底面部１１側の端部には、紙類の挿入方向側に向けてほぼ直角に折り曲げ部２６が形成されるとともに、該折り曲げ部２６の幅方向のほぼ中央部にはスリット２７が設けられている。折り曲げ部２６は、後述する保持部４０の位置決め部となり、スリット２７は、保持片４０に設けられた刃３０の位置決め部となる。スリット部２７を通って、傾斜部２３の底面部側の端部から刃３０の先端部３２が突出する。
また、弾性片２０の傾斜部２３には、前記支点Ａ近傍に、該傾斜部２３から起立させたツメ部２８が設けられており、該ツメ部２８と折り曲げ部２６との間に保持片４０が納まるようになっている。
【００１０】
＜刃＞
刃３０は、カッターナイフの刃に使われる炭素工具鋼（ＳＫ）など、鋼製のものが好適に用いられる。その厚さは、通常、０．３〜１．２ｍｍ程度である。
図３に示すように、刃３０は、直線状に延びる背部３１と、該背部３１と交差して鋭角状の刃の先端部（ポイント）３２を形成する刃先（エッジ）３３と、背部３１と対向する位置にある刃元３４（刃先３２の根元）と、この刃元３４の近傍から背３１部に向けて傾斜して伸びる傾斜辺部３５とを有している。この傾斜辺部３５の傾斜角βはほぼ１５〜６０°の範囲である。刃３０の先端部３２の角度は、通常３０〜６０°程度である。刃３０の背部３１の長さは、一例として１ｃｍ程度である。
【００１１】
＜保持片＞
保持片４０は、刃３０を固定し、所定位置に保持するとともに、弾性片２０の傾斜部２３に装着される部材である。保持片４０には、刃３０の先端部３２が突出するように刃３０が設けられる。また、刃３０は、傾斜部２３の面に対して刃３０の垂直な起立状態を保持するように保持片４０に固定される。
図４に示すように、保持片４０は、弾性片２０の傾斜部２３に固定される平面部４１，４１を備えたベース部４３，４３と、該ベース部４３，４３から垂直に起立し、刃３０の腹部（平）の両サイドで腹部を保持する起立部４４，４４とを有する。この起立部４４，４４の間に刃３０が位置して、刃３０のベース部４３に対する垂直状態が保持される。保持片４０は、合成樹脂の成形品により構成し得る。起立部４４は、刃３０の高さに適合する高さを有する。
図示の例では、保持片４０は、刃３０の腹部を両サイドから挟む一対の部材からなり、これら保持片４０の各起立部４４，４４で刃３０を挟持するようになっている。刃３０は、これら起立部４４，４４に対して、両面粘着テープや接着剤等の適宜固定手段を用いて固定し得る。
【００１２】
また、保持片４０の起立部４０の、ベース部４３と反対側（起立側の端部）には、刃３０の面方向の動きを規制する位置決め手段が設けられている。すなわち、装着される刃３０の刃元３４の近傍の部位には、刃３０の腹部の面方向（刃の面方向）と交差する方向、代表的には起立部４４からほぼ直角方向に、屈曲した係止部４５が設けられている。このため、刃３０を該係止部４５に合わせて装着することにより、刃３０を保持片４０に迅速、確実に所定位置に設けることができる。
係止部４５は、刃の背部３１と対向する側における刃３０の輪郭に適合する位置に形成されている。一方の保持片（図４の左側）４０は、刃３０の刃先３３の一部に接する係止部４５ａと、刃元３４に接する係止部４５ｂと、傾斜辺部３５の一部に接する係止部４５ｃとを有し、他方の保持片（図４の右側）４０は、傾斜片部３５の一部に接する係止部４５ｄを有している。
一方の保持片４０の係止部と他方の保持片４０の係止部とは、より具体的には、一方の保持片４０の傾斜辺部３５の一部に接する係止部４５ｃと、他方の保持片４０の傾斜辺部３５の一部に接する係止部４５ｄとは、互い違いに噛み合うように隣接して配置されており、このため、これら一対の保持片４０の互いの位置関係を所定位置に定めることができるようになっている。
保持片４０は、前記のとおり、合成樹脂成形品のほか、例えば厚さ０．３ｍｍ程度の金属板等を用いて構成することもできる。この場合、例えば図５に示すように（図４の左側の保持片に相当するもののみ示す。）、１枚の板を用い、ベース部４３に、起立部４４及び係止部４５に相当する輪郭を打ち抜き、該部分を起立、折り曲げて、起立部４４及び係止部４５を形成することができる。
【００１３】
保持片４０は、ベース部４３の平面部４１において、弾性片２０の傾斜部２３の、幅方向のほぼ中央部、挿入方向側の内面に固定される。刃３０は、傾斜部３２の面に対して刃の垂直な起立状態を保持する保持片４０に固定されるとともに、傾斜部２３の、前記底面部１１側の端部から刃３０の先端部３２が突出するように設けられることとなる。刃３０の背部３１は、傾斜部２３に沿う方向に取り付けられることとなる。
このとき、刃３０は、交差して鋭角状の刃の先端部３２を形成する背部３１と刃先３３、と、刃元３４の近傍から背部３１に向けて傾斜して伸びる傾斜辺部３５とを有する、全体として背部３１を底辺とするほぼ台形状であるため、ケースの狭い内部空間に刃３０が合理的に配置され、傾斜部２３の動きに伴い刃の動きが支障を来たすことがなく（背部３１に対向する側が弾性片２０の上面部に突き当たることがなく）、刃３０及び弾性片２０が確実に動作する。
保持片４０の傾斜部２３への装着にあたっては、図１，４に示すとおり、ベース部４３（平面部４１）と傾斜部２３との間に補強板５０を介設してもよい。この補強板５０は、例えば厚さ０．２〜０．５ｍｍ程度のＳＫ材、ステンレス鋼材等の金属板からなり、保持片４０の装着された傾斜部２３の剛性を高め、傾斜部２３の安定した動作を助ける。
保持片４０の傾斜部２３への装着にあたっては、前記のとおり、傾斜部２３の底面部１１側の端部に、紙類の挿入方向側に向けて折り曲げ部２６が形成され、かつ該折り曲げ部２６の幅方向の中央部には刃を所定位置に設けるためのスリット２７が形成され、さらには、傾斜部２３には、支点Ａ近傍に、該傾斜部２３から起立させたツメ部２８が設けられているため、保持片４０（及び刃３０）を傾斜部２３に対し、迅速、的確に所定位置に配設することができる。保持片４０の傾斜部２３への固定は、両面粘着テープ、接着剤、その他の適宜固定手段を用いることができる。
【００１４】
図１に示すとおり、ケース１０の底面部１１の、刃３０の先端部３２が位置する近傍には、適宜平面形状の透孔（又は凹部）１１ａが形成されており（該部付近のみ便宜上断面図で示している。）、該透孔１１ａ空間に刃３０の先端部３２が納まるとともに、弾性片２０のバネ力は、刃３０の先端部３２を避けた端部近傍の背部３１が、底面部１１又は摩擦部１４に接した状態で、挿入される紙類にバネ力を加える方向に、付勢されている。このため、紙類を挿入しない状態において、刃３０の先端部３２は、底面部１１に接触しないので、損傷等から保護される。
また、刃３０は、保持片４０によって、刃３０の背部３１が傾斜部２３に沿う方向に設けられている。したがって、刃３０は、傾斜部２３と同様に、挿入口１９側の上部に位置する支点Ａ（ケース１０内の挿入口１９側の上方部）から紙類の挿入方向に向けて傾斜しているため、紙類の挿入が容易である。
【００１５】
＜動作＞
上記実施の形態の動作について、図６、図７を参照して説明する。
図６は、紙類７０を挿入口１９から図の矢印に示す方向に挿入した状態を示し、図７は、挿入した紙類７０の一番上の紙を引き抜く状態を示すものである。
図６に示すように、先ず、適宜複数枚の紙類７０を挿入口１９からケース１０の内部へ挿入する。すると、紙類７０の前端部は刃３０の先端部３２に軽く当り、さらに弾性片２０のバネ力に抗して挿入を続けると、紙類７０は、より内部へ進入する。この時、弾性片２０の傾斜部２３は、支点Ａを支点として弾性変形によって、破線で示す位置から図面矢印の方向（挿入方向側）に回動し、弾性片２０のバネ力（復元力）は、刃３０の先端部３２が紙類７０を、底面部１１との間で挟持するように働く。刃３０の先端部３２は、挿入された紙類７０の一番上に位置する紙に当接し、通常、やや食い込んで刺さった状態となる。しかして、弾性片２０の弾性変形に基く弾性力を用いて、紙類７０は、刃３０の先端部３２と底面部１１との間に保持される。
一番上に位置する紙が不要になった場合、一番上に位置する紙を、図７に示すように、挿入口１９から矢印に示す方向に引き抜く。この時、刃３０の先端部３２と紙類７０との摩擦力及び弾性片２０のバネ力によって、弾性片２０は図面矢印の方向（引き抜き方向側）に、支点Ａを支点としてやや回動して、刃３０の先端部３２は、一番上に位置する紙のみならずその下に位置する紙（通常、例えば２〜５枚等、複数枚）をも突き刺す状態となる。このため、一番上に位置する紙以外の紙類７０は、刃３０の先端部３２と底面部１１とで保持されて脱落することがなく、一番上の紙のみだけ確実に引き抜くことができる。摩擦部１４は、このとき他の紙類７０の脱落を防止する上で有効に作用する。
引き抜かれた一番上に位置する紙は、刃３０の先端部３２が突き刺さった状態で引き抜かれることになるので、刃３０の先端部３２が突き刺さった接触点を始点として紙の前端側に至る線状の綺麗な切断線（跡）が形成される。
上記動作を繰り返すことによって、簡単かつ確実に１枚ずつ紙類を取り出すことができる。
ペーパーホルダー１の設置場所、設置手段は限定されない。ケース１０の裏面（底面部１１の外面）に粘着テープ等を張って、各種壁部に設置することができる。保持すべき紙類のサイズに応じて、ペーパーホルダー１を横長の板状基板に横に複数個並べて設置し、使用することもできる。
【図面の簡単な説明】
【００１６】
【図１】ペーパーホルダー１の側面図である。
【図２】弾性片２０の斜視図である。
【図３】刃３０の側面図である。
【図４】保持片４０（及び補助板５０）の斜視図である。
【図５】保持片４０の斜視図である。
【図６】ペーパーホルダー１の動作を示す側面図である。
【図７】ペーパーホルダー１の動作を示す側面図である。
【符号の説明】
【００１７】
１   ペーパーホルダー
１０  ケース
１１  底面部
１２  台部
１４  摩擦部
１５  上覆部
１６  溝部
１９  紙類の挿入口
２０  弾性片
２３  傾斜部
２５  反転折り返し部
２６  折り曲げ部
２７  スリット
３０  刃
３１  刃の背部
３２  刃の先端部
３３  刃先
３４  刃元
３５  刃の傾斜辺部
４０  保持片
４１  平面部
４３  ベース部
４４  起立部
４５  係止部
５０  補助板
【図１】
2010149360.tif 000003
【図２】
2010149360.tif 000004
【図３】
2010149360.tif 000005
【図４】
2010149360.tif 000006
【図５】
2010149360.tif 000007
【図６】
2010149360.tif 000008
【図７】
2010149360.tif 000009